(57)【要約】【課題】  識別情報を送信する多数の無線通信装置の中から、所望の無線通信装置を通信相手として容易に選択可能にすることを目的とする。【解決手段】  自装置を示す文字列からなるデバイス情報を保持するデバイス情報記憶部３５と、自装置との間で通信リンクを形成するための識別情報として、上記デバイス情報を無線送信する識別情報送信部３９とを備えた無線通信装置３において、ユーザ動作を検出するユーザ動作検出部３２と、上記ユーザ動作を示す文字列からなる動作情報を保持する動作情報記憶部３６と、上記デバイス情報に上記動作情報を付加した拡張デバイス情報を生成する拡張デバイス情報生成部３７とを備え、上記識別情報送信部３９が、上記ユーザ動作が検出された場合に、上記識別情報として上記拡張デバイス情報を送信する。【選択図】  図３
2015056720.tif 000002
【特許請求の範囲】
【請求項１】
自装置を示す文字列からなるデバイス情報を保持するデバイス情報記憶手段と、通信リンクを形成するための識別情報として、上記デバイス情報を無線送信する識別情報送信手段とを備えた無線通信装置において、
ユーザ動作を検出するユーザ動作検出手段と、
上記ユーザ動作を示す文字列からなる動作情報を保持する動作情報記憶手段とを備え、
上記識別情報送信手段は、上記ユーザ動作が検出された場合に、上記デバイス情報に代えて、上記動作情報を送信することを特徴とする無線通信装置。
【請求項２】
上記デバイス情報に上記動作情報を付加した拡張デバイス情報を生成する拡張デバイス情報生成手段を備え、
上記識別情報送信手段は、上記ユーザ動作が検出された場合に、上記デバイス情報に代えて、上記拡張デバイス情報を送信することを特徴とする請求項１に記載の無線通信装置。
【請求項３】
上記識別情報の要求信号を受信する要求信号受信手段を備え、
上記識別情報送信手段は、上記要求信号に基づいて、上記識別情報を送信することを特徴とする請求項２に記載の無線通信装置。
【請求項４】
上記ユーザ動作検出手段は、上記要求信号の受信後の予め定められた検出期間内における上記ユーザ動作を検出し、
上記識別情報送信手段は、上記検出期間内にユーザ動作が検出された場合に、上記拡張デバイス情報を上記識別情報として送信し、上記検出期間内にユーザ動作が検出されなかった場合に、上記デバイス情報を上記識別情報として送信することを特徴とする請求項３に記載の無線通信装置。
【請求項５】
上記ユーザ動作検出手段は、上記要求信号の受信後の予め定められた検出期間内に上記ユーザ動作を繰り返し検出し、
上記識別情報送信手段は、上記検出結果に基づいて、上記検出期間内に上記識別情報を繰り返し送信することを特徴とする請求項３に記載の無線通信装置。
【発明の詳細な説明】
【技術分野】
【０００１】
本発明は、無線通信装置に係り、更に詳しくは、他の無線通信装置が通信相手を選択するために、自装置を示す識別情報を送信する無線通信装置の改良に関する。
【背景技術】
【０００２】
２つの無線通信装置間で無線通信を行うためには、通信相手となる無線通信装置を特定し、２つの無線通信装置を関連付けておく必要がある。通信相手の特定は、通信可能な各無線通信装置から識別情報を取得することにより行われる。すなわち、通信エリア内の各無線通信装置からそれぞれ取得した識別情報を一覧表示し、これらの識別情報のいずれかをユーザが選択することにより、所望の無線通信装置が通信相手として特定される。
【０００３】
しかしながら、通信エリア内に多数の無線通信装置が存在する場合、多数の識別情報が取得され一覧表示されることから、所望の無線通信装置を通信相手として選択することは容易ではないという問題があった。特に、携帯電話機やブルートゥース機器（Ｂｌｕｅｔｏｏｔｈは登録商標）の普及により、オフィス、駅、デパートなどの多くの人が集まる場所では、通信エリア内に多数の通信相手の候補が存在し、これらの候補の中から、所望の無線通信装置を選択することは容易ではないという問題があった。
【０００４】
このような問題を解決する方法が従来から提案されている（例えば、特許文献１）。特許文献１の図４及び段落００３４〜００３７には、通信相手の候補から形状指示情報及び動き情報をそれぞれ取得し、これらに応じたアイコンを表示することにより、所望の無線通信装置の選択を容易化している。特に、動き情報に応じたアイコンを表示することにより、通信相手の候補として多数の無線通信装置が存在する場合であっても、所望の無線通信装置を通信相手として選択することが容易になると考えられる。
【先行技術文献】
【特許文献】
【０００５】
【特許文献１】特開２００５−１５９８２１号
【発明の概要】
【発明が解決しようとする課題】
【０００６】
しかしながら、従来の方法では、通信相手が動き情報を送信し、かつ、当該通信相手を選択する選択装置が取得した動き情報に応じたアイコンを表示しなければ、通信相手の特定を容易化することはできないという問題があった。つまり、通信相手として選択される被選択装置と、その選択が行われる選択装置の双方が、特許文献１の方法を実現するために改良された無線通信装置でなければ、このような効果を得ることはできないという問題があった。
【０００７】
本発明は、上記事情に鑑みてなされたものであり、識別情報を送信する多数の無線通信装置の中から、所望の無線通信装置を通信相手として容易に選択可能にすることを目的とする。
【０００８】
特に、選択装置としての無線通信装置が新規な構成を有していなくても、通信エリア内にある多数の無線通信装置の中から、所望の無線通信装置を通信相手として容易に選択可能にすることを目的とする。
【０００９】
また、通信エリア内にある多数の無線通信装置のうち、所望の無線通信装置以外の無線通信装置が、新規な構成を有していなくても、所望の無線通信装置を通信相手として容易に選択可能にすることを目的とする。
【課題を解決するための手段】
【００１０】
本発明による無線通信装置は、自装置を示す文字列からなるデバイス情報を保持するデバイス情報記憶手段と、通信リンクを形成するための識別情報として、上記デバイス情報を無線送信する識別情報送信手段とを備えた無線通信装置において、ユーザ動作を検出するユーザ動作検出手段と、上記ユーザ動作を示す文字列からなる動作情報を保持する動作情報記憶手段とを備え、上記識別情報送信手段は、上記ユーザ動作が検出された場合に、上記デバイス情報に代えて、上記動作情報を送信するように構成される。
【００１１】
このような構成を採用することにより、予め定められたユーザ動作が行われない場合には、自装置を示すデバイス情報が識別情報として送信される一方、上記ユーザ動作が行われた場合には、当該ユーザ動作を示す動作情報が識別情報として送信される。このため、通信相手として選択したい無線通信装置に対しユーザ動作を行えば、当該無線通信装置から送信される識別情報がデバイス情報から動作情報へ変更される。
【００１２】
動作情報を識別情報として送信することにより、通信エリア内の各無線通信装置から識別情報を取得し、これらの識別情報を参照して通信相手を選択しようとする場合に、本発明に係る無線通信装置を通信相手として容易に選択することができる。特に、通信エリア内に多数の無線通信装置が存在する場合であっても、通信相手として本発明に係る無線通信装置を容易に選択することができる。
【００１３】
また、本発明に係る無線通信装置を通信相手として選択する選択装置は、その通信エリア内に存在する各無線通信装置から識別情報を取得して表示することができればよく、特別な構成を必要としない。さらに、通信相手として選択されない無線通信装置にも特別な構成は必要としない。つまり、通信相手として選択しようとする無線通信装置のみが、本発明による上記構成を有していれば、上記効果を得ることができる。
【発明の効果】
【００１４】
本発明による無線通信装置は、ユーザ動作が行われない場合には、自装置を示すデバイス情報が識別情報として送信され、ユーザ動作が行われた場合には、当該ユーザ動作を示す動作情報が識別情報として送信される。このため、通信エリア内の各無線通信装置から識別情報を取得し、これらの識別情報を参照して、本発明に係る無線通信装置を通信相手として選択しようとする場合に、当該選択を容易化することができる。
【００１５】
特に、選択装置としての無線通信装置が新規な構成を有していなくても、通信エリア内にある多数の無線通信装置の中から、本発明に係る無線通信装置を通信相手として容易に選択することができる。
【００１６】
また、通信エリア内にある多数の無線通信装置のうち、本発明に係る無線通信装置以外の無線通信装置が、新規な構成を有していなくても、本発明に係る無線通信装置を通信相手として容易に選択することができる。
【図面の簡単な説明】
【００１７】
【図１】本発明の実施の形態１による無線通信システムの概略構成の一例を示した図である。
【図２】図１の無線通信装置２の一構成例を示したブロック図である。
【図３】図１の無線通信装置３の一構成例を示したブロック図である。
【図４】図３の無線通信装置３の動作の一例を示したフローチャートである。
【図５】ペアリング時の無線通信装置２に表示される識別情報リストの一例を示した図である。
【図６】本発明の実施の形態２による無線通信装置３の動作の一例を示したフローチャートである。
【図７】本発明の実施の形態３による無線通信装置３'の一構成例を示したブロック図である。
【図８】図７の無線通信装置３'の動作の一例を示したフローチャートである。
【図９】ペアリング時の無線通信装置２に表示される識別情報リストの一例を示した図である。
【発明を実施するための形態】
【００１８】
実施の形態１．
図１は、本発明の実施の形態１による無線通信システムの概略構成の一例を示した図である。この無線通信システムは、無線通信装置２と、その通信エリア内に存在している多数の無線通信装置３とにより構成される。
【００１９】
無線通信装置２は、近距離無線通信を用いて各無線通信装置３と通信することができる。ここでは、無線通信装置２，３が、いずれもブルートゥース対応機器である場合について説明するが、本発明の適用対象は、ブルートゥース規格の無線通信装置のみに限定されない。例えば、ＷｉＦｉ規格の無線通信装置、つまり、無線ＬＡＮを構成するアクセスポイントや、当該アクセスポイントを利用する無線通信装置にも本発明を適用することができる。
【００２０】
また、図中では、無線通信装置２が携帯電話機であり、無線通信装置３が、デジタルカメラ、ＰＣ、ワイヤレスヘッドホン、携帯電話機などである場合が例示されているが、本発明の適用対象は、これらの装置のみに限定されない。なお、無線通信装置２，３は、いずれも携帯可能な無線通信装置であってもよいし、据置型の無線通信装置であってもよい。
【００２１】
無線通信装置２は、無線通信装置３との通信を初めて行う場合、まずペアリングを行う必要がある。ペアリングは、通信相手を特定し、相互の関連付けを行っておく手順であり、例えば（１）通信相手の探索、（２）通信相手の選択、（３）パスコードの交換からなる。
【００２２】
（１）通信相手の探索は、無線通信装置２の通信エリア内に存在する各無線通信装置３から識別情報を取得する手順である。無線通信装置２のユーザが通信相手の探索を指示すれば、無線通信装置２から識別情報の要求信号が送信され、この要求信号を受信した各無線通信装置３から、自装置を示す文字列からなるデバイス名が識別情報として送信される。つまり、無線通信装置２は、通信相手の探索を行うことにより、通信相手の候補として、通信可能な全ての無線通信装置３の識別情報を取得することができる。
【００２３】
（２）通信相手の選択は、無線通信装置２のユーザが、上記探索により取得した識別情報の中から、希望する通信相手を選択する手順である。例えば、一覧表示されたデバイス名の中から、通信相手となるべき無線通信装置のデバイス名を選択する手順である。
【００２４】
（３）パスコードの交換は、認証処理のための暗号鍵を両無線通信装置２，３間で共有化する手順であり、パスコードを共有することにより、２つの無線通信装置２，３が互いに関連付けられる。この様にしてペアリングが完了した２つの無線通信端末２，３は、その後、必要に応じて接続され、通信することが可能になる。
【００２５】
ここでは、無線通信装置２においてペアリングが開始され、その通信エリア内にある無線通信装置３のいずれかが選択されることから、本明細書では、適宜、無線通信装置２を選択装置と呼び、無線通信装置３を被選択装置又は通信相手と呼ぶことにする。
【００２６】
図２は、図１の無線通信装置２の一構成例を示したブロック図である。無線通信装置２は、ペアリング時にユーザが通信相手を選択する選択装置であり、識別情報取得部２１、識別情報リスト記憶部２２、表示部２３、操作入力部２４、通信相手選択部２５及び関連付け処理部２６により構成される。
【００２７】
識別情報取得部２１は、通信可能な無線通信装置３から識別情報を取得する。例えば、通信エリア内の各無線通信装置３に対し識別情報の要求信号を送信し、当該要求信号への応答信号として、各無線通信装置３から識別情報をそれぞれ受信する。上記要求信号は、ペアリングの開始を指示するユーザ操作に基づいて送信される。識別情報取得部２１が取得した１又は２以上の識別情報は、識別情報リストとして、識別情報リスト記憶部２２に格納される。
【００２８】
ここでは、選択装置としての無線通信装置２から識別情報の要求信号が送信される場合について説明するが、被選択装置としての無線通信装置３が識別情報を定期的に送信している場合であれば、当該要求信号を選択装置から送信する必要はない。例えば、無線ＬＡＮのアクセスポイントは、数百ｍｓごとに識別情報を含むビーコン信号を送信しているため、この様な場合には、識別情報取得部２１は、識別情報を含む受信信号を監視するだけでよい。
【００２９】
表示部２３は、識別情報リスト記憶部２２に保持されている識別情報を表示する表示手段である。識別情報取得部２１が取得した識別情報を一覧表示することにより、ユーザは、所望の通信相手を選択することができる。
【００３０】
操作入力部２４は、ユーザ操作の入力手段であり、接点式キーやタッチセンサなどからなり、ペアリングの開始指示、識別情報の表示指示、通信相手の選択などの操作入力が行われる。
【００３１】
通信相手選択部２５は、ユーザ操作に基づいて、通信相手を選択する。関連付け処理部２６は、通信相手選択部２５によって選択された通信相手との間で、パスコードの交換を行うことにより、当該通信相手との関連付けを行う。
【００３２】
図３は、図１の無線通信装置３の一構成例を示したブロック図である。無線通信装置３は、無線通信装置２により通信相手として選択される被選択装置であり、要求信号受信部３１、ユーザ動作検出部３２、動作判定部３３、制御部３４、デバイス情報記憶部３５、動作情報記憶部３６、拡張デバイス情報生成部３７、識別情報生成部３８及び識別情報送信部３９からなる。
【００３３】
要求信号受信部３１は、無線通信装置２からから識別情報の要求信号を受信する受信手段である。当該要求信号の受信結果は、制御部３４へ出力される。
【００３４】
ユーザ動作検出部３２は、ユーザ動作を検出する手段であり、ユーザによるシェイク動作を検出する加速度センサ３２ａと、ユーザによるグリップ動作を検出する圧力センサ３２ｂとにより構成される。シェイク動作は、自装置を振る動作、つまり、空間内において自装置を直線的に移動させる動作であり、グリップ動作は、自装置を強く握る動作である。加速度センサ３２ａ及び圧力センサ３２ｂの検出結果は、動作判定部３３へ出力される。なお、加速度センサ３２ａは、無線通信装置３の筐体内に収容され、圧力センサ３２ｂは、当該筐体の端面に配置されている。
【００３５】
動作判定部３３は、ユーザ動作検出部３２の検出結果に基づいて、ユーザ動作が行われたか否かを判別する。つまり、ユーザによりシェイク動作又はグリップ動作が行われたか否かを判別する。この判定結果は、動作判定部３３から制御部３４へ出力される。
【００３６】
シェイク動作の判定は、加速度センサ３２ａの出力に基づいて行われる。例えば、加速度センサ３２ａが、互いに直交する３軸方向の加速度をそれぞれ検出する３軸センサであれば、３方向の各検出結果に基づいて、直線的な往復動作であるか否かを判定する。また、検出された加速度を予め定められた判定閾値と比較し、当該判定閾値を超えているか否かを判定する。さらに、予め定められた判定回数を超える往復動作であるか否かを判定する。これらの判定に基づいて、ユーザがシェイク動作を行っているか否かを判定する。
【００３７】
また、グリップ動作の判定は、圧力センサ３２ｂの出力に基づいて行われる。例えば、検出結果を予め定められた判定閾値と比較し、この比較結果に基づいて、ユーザがグリップ動作を行っているか否かを判定する。
【００３８】
制御部３４は、要求信号の受信結果に基づいて、識別情報の送信を制御する。要求信号受信部３１が識別情報の要求信号を受信すれば、制御部３４が、ユーザ動作検出部３２にユーザ動作の検出を指示し、動作判定部３３からユーザ動作の判定結果が入力される。この判定結果に基づいて、制御部３４は、識別情報生成部３８及び識別情報送信部３９を制御し、識別情報が送信される。
【００３９】
デバイス情報記憶部３５は、自装置を示す文字列からなるデバイス情報を保持している。デバイス情報は、予め定められたテキスト情報であり、自装置の名称（デバイス名）などの有意な文字列であってもよいし、シリアル番号などの固有の文字列であってもよい。また、ユーザにより変更可能なものであってよい。ここでは、デバイス情報として文字列「ＲＲ−０１」が格納されているものとする。
【００４０】
動作情報記憶部３６は、ユーザ動作検出部３２により検出されるユーザ動作を示す動作情報を保持している。ユーザ動作検出部３２が、２種類以上のユーザ動作を検出する場合には、各ユーザ動作に対応する動作情報が保持されている。ここでは、シェイク動作を示す動作情報として文字列「ＭＯＶＥ」、グリップ動作を示す動作情報として文字列「ＧＲＩＰ」が保持されているものとする。これらの動作情報は、ユーザにより変更可能なものであってよい。
【００４１】
拡張デバイス情報生成部３７は、デバイス情報に動作情報を付加した拡張デバイス情報を生成する。ここでは、デバイス情報の前に動作情報を付加することにより、拡張デバイス情報が生成される。つまり、２つの文字列「ＭＯＶＥ＿ＲＲ−０１」及び「ＧＲＩＰ＿ＲＲ−０１」が、拡張デバイス情報として生成される。
【００４２】
なお、拡張デバイス情報生成部３７による拡張デバイス情報の生成は、識別情報の送信時に行われるものであってもよいし、デバイス情報又は動作情報の更新時に予め行われるものであってもよい。また、ここでは、動作情報とデバイス情報の間に両者の区切りを示す「＿」を挿入しているが、省略することもできる。また、必要に応じて、デバイス情報の一部を省略することもできる。例えば、拡張デバイス情報が長くなり、上限文字数を超過するような場合には、デバイス情報の末尾を省略してもよい。また、デバイス情報の後に動作情報を付加することにより、拡張デバイス情報を生成してもよい。
【００４３】
識別情報生成部３８は、動作判定部３３の判定結果に基づいて、デバイス情報又は拡張デバイス情報のいずれか１つを選択し、識別情報として識別情報送信部３９へ出力する。つまり、ユーザ動作が行われていないと判定された場合には、デバイス情報からなる識別情報が生成される一方、ユーザ動作が行われたと判定された場合には、当該ユーザ動作に対応する拡張デバイス情報からなる識別情報が生成される。
【００４４】
例えば、ユーザ動作が検出された場合には、直ちに拡張デバイス情報からなる識別情報が生成される一方、識別信号の要求信号を受信してから、予め定められた検出時間が経過するまでの間に、ユーザ動作が検出されなかった場合には、デバイス情報からなる識別情報が生成される。ここでいう検出時間は、被選択装置としての無線通信装置３においてユーザ動作の検出を繰り返し行うための時間（例えば３秒）であり、選択装置としての無線通信装置２からの要求信号に対する応答時間よりも短い時間として予め定められる。
【００４５】
なお、上記識別情報には、デバイス情報又は拡張デバイス情報に加えて、ＭＡＣアドレスなどのデバイス固有情報が含まれていてもよい。デバイス情報及び拡張デバイス情報が、ユーザにより認識されることを主目的とする文字列からなる変更可能な情報であるのに対し、デバイス固有情報は、当該装置に予め割り当てられた変更できないユニークな情報である。
【００４６】
識別情報送信部３９は、識別情報の要求信号に対する応答信号として、識別情報生成部３８が生成した識別情報を送信する。
【００４７】
図４のステップＳ１０１〜Ｓ１０７は、図３の無線通信装置３の動作の一例を示したフローチャートであり、選択装置としての無線通信装置２から識別情報の要求信号を受信したときに、被選択装置としての無線通信装置３において実行される応答処理が示されている。
【００４８】
要求信号受信部３１が識別情報の要求信号を受信すれば、ユーザ動作検出部３２がユーザ動作を検出する（ステップＳ１０１）。この検出結果に基づいて、ユーザ動作が行われたか否かを動作判定部３３が判定する（ステップＳ１０２）。
【００４９】
ここでは、加速度センサ３２ａの検出結果に基づいて、シェイク動作が行われたか否かを判定するとともに、圧力センサ３２ｂの検出結果に基づいて、グリップ動作が行われたか否かを判定する。例えば、無線通信装置３が３回以上振られ、判定閾値を超える加速度が３往復分検出された場合に、シェイク動作が行われたと判定する。また、無線通信装置３が強く握られ、判定閾値を超える押圧力が検出された場合に、グリップ動作が行われたと判定する。
【００５０】
ステップＳ１０３において、ユーザ動作が行われたと判定された場合（Ｙｅｓの場合）、識別情報生成部３８が、当該ユーザ動作に対応する拡張デバイス情報を選択し（ステップＳ１０６）、当該拡張デバイス情報が、識別情報として識別情報送信部３９により送信される（ステップＳ１０７）。
【００５１】
ステップＳ１０３において、ユーザ動作が行われていないと判定された場合（Ｎｏの場合）、識別情報の要求信号を受信してからの経過時間を予め定められた検出期間と比較する（ステップＳ１０４）。その結果、検出時間が経過していなければ（Ｎｏの場合）、ステップＳ１０１に戻り、再びユーザ動作の検出が行われる。一方、検出時間が経過していれば（Ｙｅｓの場合）、識別情報生成部３８が、デバイス情報を選択し（ステップＳ１０５）、デバイス情報が、識別情報として識別情報送信部３９により送信される（ステップＳ１０７）。
【００５２】
つまり、無線通信装置２が識別情報の要求信号を送信してから、予め定められた検出時間が経過するまでの検出期間内に、無線通信装置３に対するユーザ動作が行われなかった場合には、デバイス情報「ＲＲ−０１」が識別情報として送信される。一方、検出期間内にユーザ動作が行われた場合には、当該ユーザ動作に対応する拡張デバイス情報が識別情報として送信される。ユーザ動作がシェイク動作であれば、「ＭＯＶＥ＿ＲＲ−０１」が識別情報として送信され、ユーザ動作がグリップ動作であれば、「ＧＲＩＰ＿ＲＲ−０１」が識別情報として送信される。
【００５３】
図５は、ペアリング時の無線通信装置２に表示される識別情報リストの一例を示した図である。図中の（ａ）には、無線通信装置３に対するユーザ動作が行われなかった場合、（ｂ）には、シェイク動作が行われた場合、（ｃ）には、グリップ動作が行われた場合がそれぞれ示されている。
【００５４】
無線通信装置２の通信エリア内に７つの無線通信装置３があり、それぞれのデバイス情報が「ＣＣ−０３」、「ＮＮＮ−０２」、「ＶＶＶ−１０」、「ＡＡＡ−０２」、「ＡＡ−９９」、「ＢＢ−０１」及び「ＲＲ−０１」であった場合、いずれの無線通信装置３でもユーザ動作が行われなければ、無線通信装置２において、通信相手の探索結果として表示される識別情報リストは、図中の（ａ）に示した通りとなる。つまり、識別情報リストは、各無線通信装置３のデバイス情報からなる。
【００５５】
一方、識別情報「ＲＲ−０１」の無線通信装置３に対し、シェイク動作を行った場合、当該無線通信装置３の識別情報が「ＭＯＶＥ＿ＲＲ−０１」となり、無線通信装置２において表示される識別情報リストは、図中の（ｂ）に示した通りとなる。
【００５６】
同様にして、識別情報「ＲＲ−０１」の無線通信装置３に対し、グリップ動作を行った場合、当該無線通信装置３の識別情報が「ＧＲＩＰ＿ＲＲ−０１」となり、無線通信装置２において表示される識別情報リストは、図中の（ｃ）に示した通りとなる。
【００５７】
デバイス情報「ＲＲ−０１」の無線通信装置３を通信相手として選択しようとする場合、（ａ）の表示に比べて、（ｂ）及び（ｃ）の表示の方が、当該無線通信装置を発見しやすくなり、通信相手として当該無線通信装置３を選択することが容易になる。
【００５８】
この場合、通信相手として選択しようとしているデバイス情報「ＲＲ−０１」の無線通信装置３のみが本発明による構成を有していればよい。つまり、選択装置としての無線通信装置２には、特別な構成が必要とされず、また、通信相手の候補となる他の無線通信装置３にも、特別な構成が必要とされない。従って、オフィス、駅、デパート等のように不特定多数の人が集まり、多くの無線通信装置が存在している場所において、所望の無線通信装置３とのペアリングを行う場合に特に好適である。
【００５９】
実施の形態２．
実施の形態１では、識別情報の要求信号に対する検出期間内におけるユーザ動作の有無を判別し、その後、当該判別結果に応じた識別情報を送信する無線通信装置３の例について説明した。これに対し、本実施の形態では、検出期間内に識別情報を繰り返し送信する無線通信装置３において、当該検出期間のうち、ユーザ操作が行われている期間には、ユーザ操作が行われていない期間とは異なる識別情報を送信する場合について説明する。
【００６０】
図６のステップＳ２０１〜Ｓ２１０は、本発明の実施の形態２による無線通信装置３の動作の一例を示したフローチャートであり、選択装置としての無線通信装置２から識別情報の要求信号を受信したときに、被選択装置としての無線通信装置３において実行される応答処理が示されている。
【００６１】
要求信号受信部３１が識別情報の要求信号を受信すれば、ユーザ動作検出部３２がユーザ動作を検出する（ステップＳ２０１）。この検出結果に基づいて、ユーザ動作が行われたか否かを動作判定部３３が判定する（ステップＳ２０２）。
【００６２】
そして、ユーザ動作が行われていないと判定された場合（ステップＳ２０３でＮｏの場合）には、識別情報生成部３８が、デバイス情報が識別情報として選択され（ステップＳ２０４）、ユーザ動作が行われたと判定された場合（Ｙｅｓの場合）には、当該ユーザ動作に対応する拡張デバイス情報が識別情報として選択される（ステップＳ２０５）。ステップＳ２０４及びＳ２０５で生成された識別情報は、いずれも識別情報送信部３９により送信される（ステップＳ２０６）。
【００６３】
上記ステップＳ２０１〜Ｓ２０６は、識別情報の要求信号を受信してから、予め定められた検出時間が経過するまで繰り返される（ステップＳ２０７）。つまり、検出時間が経過するまでの検出期間の内、ユーザ動作が行われていない期間は、デバイス情報が識別情報として送信され、ユーザ動作が行われている期間は、拡張デバイス情報が識別情報として送信される。
【００６４】
ステップＳ２０７において検出時間が経過していた場合、最後に送信される識別情報をデバイス情報からなる識別情報とするための後処理が行われ、当該応答処理を終了する（ステップＳ２０８〜Ｓ２１０）。すなわち、ステップＳ２０４及びＳ２０５において最後に選択された情報が、拡張デバイス情報であった場合（ステップＳ２０８でＹｅｓの場合）、識別情報生成部３８が、デバイス情報を選択し（ステップＳ２０９）、デバイス情報が、識別情報として識別情報送信部３９により送信される（ステップＳ２１０）。一方、最後に選択された情報が、デバイス情報からなる識別情報であれば（ステップＳ２０８でＮｏの場合）、直ちに当該応答処理を終了する。このような後処理（ステップＳ２０８〜Ｓ２１０）を行うことにより、ユーザ動作の有無にかかわらず、最後にデバイス情報からなる識別情報を送信することができる。
【００６５】
つまり、選択装置としての無線通信装置２では、検出期間中は、ユーザ動作に基づいて、デバイス情報又は拡張デバイス情報が識別情報として表示され、検出期間の経過後は、デバイス情報が識別情報として表示される。
【００６６】
ペアリング時の無線通信装置２に表示される識別情報リストは、図５の（ａ）〜（ｃ）と同様であるが、検出期間中に、識別情報リストが表示されるとともに、表示中の識別情報リストがユーザ動作に応じて変化する点で、実施の形態１の場合とは異なる。すなわち、検出期間のうち、無線通信装置３に対するユーザ動作が行われていない期間には図５の（ａ）が表示され、シェイク動作が行われている期間には図５の（ｂ）が表示され、グリップ動作が行われている期間には図５の（ｃ）が表示される。
【００６７】
従って、検出期間中に、無線通信装置３に対するユーザ動作を開始又は終了し、あるいは、シェイク動作及びグリップ動作間で変更すれば、無線通信装置２において、識別情報リストとして表示される識別情報が変化する。このため、ユーザ動作が行われた無線通信装置３を通信相手として更に容易に選択することができる。
【００６８】
また、検出期間の終了後は、ユーザ動作の有無にかかわらず、識別情報がデバイス情報に戻り、無線通信装置２に表示される識別情報リストも図５の（ａ）に戻る。
【００６９】
なお、無線通信装置２は、識別情報の送信元をデバイス固有情報に基づいて判別することができるため、同じ無線通信装置３から２以上の識別情報を受信した場合、最後に受信した識別情報のみを選択し、識別情報リストを生成する。つまり、ユーザ動作を開始又は終了し、あるいは、シェイク動作及びグリップ動作間で変更した場合に、その前後において、同じ無線通信装置３から異なる２つの識別情報が送信されるが、無線通信装置２は、最新の識別情報のみに基づいて識別情報リストを生成する。このため、無線通信装置２の識別情報リスト中に、同じ無線通信装置３に対応する２以上の識別情報が含まれることはない。
【００７０】
実施の形態３．
実施の形態１及び２では、ユーザ動作に基づいて、デバイス情報及び動作情報からなる拡張デバイス情報を送信する場合の無線通信装置３の例について説明した。これに対し、本実施の形態では、ユーザ動作に基づいて、動作情報を送信する無線通信装置３について説明する。
【００７１】
図７は、本発明の実施の形態３による無線通信装置３'の一構成例を示したブロック図である。無線通信装置３'は、図１に示された被選択装置としての無線通信装置３の他の構成例であり、図３のブロック図（実施の形態１）と比較すれば、拡張デバイス情報生成部３７を備えていない点で異なる。
【００７２】
識別情報生成部３８は、動作判定部３３の判定結果に基づいて、デバイス情報又は動作情報のいずれか１つを選択し、識別情報として識別情報送信部３９へ出力する。つまり、ユーザ動作が行われていないと判定された場合には、デバイス情報からなる識別情報が生成される一方、ユーザ動作が行われたと判定された場合には、当該ユーザ動作に対応する動作情報からなる識別情報が生成される。
【００７３】
図８のステップＳ３０１〜Ｓ３０７は、図７の無線通信装置３'の動作の一例を示したフローチャートであり、選択装置としての無線通信装置２から識別情報の要求信号を受信したときに、被選択装置としての無線通信装置３において実行される応答処理が示されている。図４のフローチャート（実施の形態１）と比較すれば、ステップＳ３０６において動作情報が選択される点で異なる。
【００７４】
つまり、検出期間中にユーザ動作が検出されない場合には、デバイス情報を含む識別情報が送信される一方、ユーザ動作が検出された場合には、デバイス情報を含まず、動作情報を含む識別情報を送信される。
【００７５】
図９は、ペアリング時の無線通信装置２に表示される識別情報リストの一例を示した図である。図中の（ａ）には、無線通信装置３'に対するユーザ動作が行われなかった場合、（ｂ）には、シェイク動作が行われた場合、（ｃ）には、グリップ動作が行われた場合がそれぞれ示されている。
【００７６】
図５（ａ）〜（ｃ）に示された識別情報リスト（実施の形態１）と比較すれば、図９（ｂ）では、図５（ｂ）の「ＭＯＶＥ＿ＲＲ−０１」に代えて「ＭＯＶＥ」が表示され、図９（ｃ）は、図５（ｃ）の「ＧＲＩＰ＿ＲＲ−０１」に代えて「ＧＲＩＰ」が表示される。
【００７７】
本実施の形態では、実施の形態１の無線通信装置３が、拡張デバイス情報に代えて動作情報を送信する場合の例について説明した。全く同様にして、実施の形態２の無線通信装置３が、拡張デバイス情報に代えて動作情報を送信するように構成することもできる。
【００７８】
なお、上記実施の形態では、ユーザ動作検出部３２が、加速度センサ３２ａ及び圧力センサ３２ｂにより構成され、ユーザによるシェイク動作やグリップ動作を検出する場合の例について説明したが、本発明は、この様な場合のみに限定されない。例えば、ユーザ動作検出部３２は、加速度センサ３２ａ及び圧力センサ３２ｂ以外のセンサを備えるものであってもよい。また、シェイク動作及びグリップ動作以外のユーザ動作を検出するものであってもよい。
【符号の説明】
【００７９】
２  無線通信装置（選択装置）
２１  識別情報取得部
２２  識別情報リスト記憶部
２３  表示部
２４  操作入力部
２５  通信相手選択部
２６  関連付け処理部
３，３'  無線通信装置（被選択装置）
３１  要求信号受信部
３２  ユーザ動作検出部
３２ａ  加速度センサ
３２ｂ  圧力センサ
３３  動作判定部
３４  制御部
３５  デバイス情報記憶部
３６  動作情報記憶部
３７  拡張デバイス情報生成部
３８  識別情報生成部
３９  識別情報送信部
【図１】
2015056720.tif 000003
【図２】
2015056720.tif 000004
【図３】
2015056720.tif 000005
【図４】
2015056720.tif 000006
【図５】
2015056720.tif 000007
【図６】
2015056720.tif 000008
【図７】
2015056720.tif 000009
【図８】
2015056720.tif 000010
【図９】
2015056720.tif 000011